(57)【要約】【課題】前側パネルと後側パネルの全体の厚みを通常の厚みとしながら、スピーカーエンクロージャーとしての高い剛性及び密閉性を確保できるスピーカー内蔵型エンクロージャーを提供する。【解決手段】スピーカー内蔵型エンクロージャーを構成する一方のパネル３の外周壁Ｒｖは、突き合せ用のリブＲｖとして突出形成され、他方のパネル２の外周壁Ｅｃは、２つの脚部a，aとこれらを連結する連結部ｒとからなる逆凹部Ｅｃとして突出形成され、上記突き合せ用のリブＲｖをこれよりも広い面積としての上記逆凹部Ｅｃの連結部ｒと突き合わせられている。【選択図】図３
0003117472.tif 000002
【実用新案登録請求の範囲】
【請求項１】
合成樹脂製の筐体を構成する前側パネルと後側パネルとの間にスピーカーユニットが密閉状態で配されるための外周壁が互いに形成されたスピーカー内蔵型エンクロージャーにおいて、上記一方のパネルの外周壁は、突き合せ用のリブとして突出形成され、他方のパネルの外周壁は、２つの脚部とこれらを連結する連結部とからなる逆凹部として突出形成され、上記突き合せ用のリブがこれよりも広い面積としての上記逆凹部の連結部と突き合わせられることを特徴とするスピーカー内蔵型エンクロージャー。
【請求項２】
合成樹脂製の筐体を構成する前側パネルと後側パネルとの間にスピーカーユニットが密閉状態で配されるための外周壁が互いに形成されたスピーカー内蔵型エンクロージャーにおいて、上記一方のパネルの外周壁と他方のパネルの外周壁は、２つの脚部とこれらを連結する連結部とからなる逆凹部として突出形成され、これら逆凹部の連結部同士が突き合わせられることを特徴とするスピーカー内蔵型エンクロージャー。
【請求項３】
前記逆凹部の２つの各脚部の厚さと連結部の厚さは、前記前側パネルや後側パネルの肉厚と同じ肉厚で形成されていることを特徴とする請求項１又は請求項２記載のスピーカー内蔵型エンクロージャー。
【請求項４】
前記逆凹部の下方側の２つの脚部側の幅間隔よりも逆凹部の上方側の連結部の幅間隔の方が幅狭であることを特徴とする請求項１又は請求項２記載のスピーカー内蔵型エンクロージャー。
【請求項５】
前記逆凹部と突き合わせ用のリブとの間、又は、前記逆凹部と逆凹部との間にクッションシートを介在させていることを特徴とする請求項１又は請求項２記載のスピーカー内蔵型エンクロージャー。
【考案の詳細な説明】
【技術分野】
【０００１】
本考案は、合成樹脂製の筐体を構成する前側パネルと後側パネルとの間にスピーカーユニットが密閉状態で配されるための外周壁が互いに形成されたスピーカー内蔵型エンクロージャーに関する。
【背景技術】
【０００２】
従来、テレビやラジオやオーディオ機器、更にはパーソナルコンピュータには、スピーカーユニットが内蔵されたものが多く存在する。このようなスピーカー内蔵製品としては、合成樹脂製の筐体を構成するものであったとしても、筐体内に、独立した部品としてスピーカーエンクロージャーが備え付けられた場合は、部品点数が増加してしまい、高コストの原因となっていた。また、音質にこだわらない場合は筐体でスピーカーエンクロージャーを構成する場合もあった。
【０００３】
上記従来のものに対し、特許文献１には、スピーカー内蔵製品の外枠を形成するエンクロージャーと、内部のスピーカーエンクロージャーとが一体化したスピーカー内蔵製品（電子ピアノ）が開示され、このスピーカー内蔵型エンクロージャーは、電子楽器（電子ピアノ）のエンクロージャー（筐体１１）に関するものであり、前側パネル（上筐体１２）と、後側パネル（筐体１３）とを互いに対向装着させることで電子機器（ピアノ）の外枠を形成するエンクロージャー（筐体１１）となる。前側パネル（上筐体１２）には、その上面壁裏面に、補強用リブ２３が設けられ、また、後側パネル（下筐体１３）には、その下面壁裏面に、補強用リブ２４が設けられている。これら補強用リブ２３，２４が互いに弾性圧接することで、スピーカーエンクロージャーの外周壁の役割を担い、前側パネル（上筐体１２）と後側パネル（下筐体１３）の各側壁部（外周壁）と合わせてスピーカーエンクロージャーを形成している。このような構成とすることにより、上記従来のスピーカー内蔵製品のように、独立したスピーカーエンクロージャーとしての部品が不要になり、低コスト化を実現することが可能となる。
【０００４】
なお、このようなスピーカーエンクロージャーの設計は、各スピーカーの種類や性質等によって異なるが、一般的にある程度の剛性を確保し、また、その密閉性を確保することが音響効果を高める上で重要である。
【０００５】
【特許文献１】特許第３０５５３６８号公報
【考案の開示】
【考案が解決しようとする課題】
【０００６】
しかしながら、特許文献１では、スピーカーエンクロージャーの外周壁を補強用リブ２３，２４が担っているため、上記スピーカーエンクロージャーとしての役割を十分に果たすためには、補強用リブ２３，２４にある程度の厚みを与える必要がある。各補強用リブ２３，２４は、前側パネル（上筐体１２）と後側パネル（下筐体１３）と一体的に充填成型されるため、補強用リブ２３，２４の厚さのみを他の部分より厚く設定すると、凝固時間の違いにより、補強用リブ２３，２４が突設される面の裏面が凹み、いわゆる「ヒケ」マークが形成されてしまうという問題があった。特許文献１では、この「ヒケ」マークをデザインとして利用しているが、一般的に「ヒケ」マークは、外観上のデザインを害するものとして敬遠される。このような「ヒケ」マークを形成せずに、なおかつ、スピーカーエンクロージャーとしての剛性を確保するには、前側パネルと後側パネルの補強用リブ２３，２４を含むすべての部分の厚さを剛性が確保できる程度に厚くすることが考えられる。しかし、これでは剛性が確保される反面、他の部分に必要以上の厚みを与えることになり、材料費の増加によるコストアップの原因となってしまう。
【０００７】
また、特許文献１では、前側パネル（上筐体１２）の補強用リブ２３と後側パネル（下筐体１３）の補強用リブ２４とを弾性圧接することで、スピーカーエンクロージャーとしての密閉性を維持している。しかしながら、補強用リブ２３，２４同士を、直接接触させて、その密閉性を維持するためには、補強用リブ２３，２４の成型精度を正確に行う必要があり、奥行きが大きな製品になればなるほど、補強用リブ２３，２４を高く設定することは困難なものとなる。補強用リブ２３，２４が高く設定された場合、充填成型時に補強用リブ２３，２４の先端まで十分に充填することが困難になるからである。しかも、補強用リブ２３，２４の先端面を均一な面に加工することは困難であり（凸状片が形成されてしまうことある。）、密閉性に影響を与える問題もある。これらの問題を解消するためには、通常よりもより型締力の大きな成型機を用いて充填成型する必要が生じるが、これでは単位時間当たりのチャージの増加、つまりコストアップの原因となってしまう。
【０００８】
そこで、本考案の目的は、スピーカーエンクロージャーとしての高い剛性と密閉性を確保でき、しかも、前側パネルと後側パネルの肉厚をそのままにして実現することができるスピーカー内蔵型エンクロージャーを提供することにある。
【課題を解決するための手段】
【０００９】
本考案の請求項１に係るスピーカー内蔵型エンクロージャーは、合成樹脂製の筐体を構成する前側パネルと後側パネルとの間にスピーカーユニットが密閉状態で配されるための外周壁が互いに形成されたスピーカー内蔵型エンクロージャーにおいて、上記一方のパネルの外周壁は、突き合せ用のリブとして突出形成され、他方のパネルの外周壁は、２つの脚部とこれらを連結する連結部とからなる逆凹部として突出形成され、上記突き合せ用のリブをこれよりも広い面積としての上記逆凹部の連結部と突き合わせられることを特徴とする。また、本考案の請求項２に係るスピーカー内蔵型エンクロージャーは、合成樹脂製の筐体を構成する前側パネルと後側パネルとの間にスピーカーユニットが密閉状態で配されるための外周壁が互いに形成されたスピーカー内蔵型エンクロージャーにおいて、上記一方のパネルの外周壁と他方のパネルの外周壁は、２つの脚部とこれらを連結する連結部とからなる逆凹部として突出形成され、これら逆凹部の連結部同士が突き合わせられることを特徴とする。
【００１０】
これらの考案によれば、上記一方のパネルの外周壁には、突き合せ用のリブが突出形成され、他方のパネルの外周壁には、２つの脚部とこれらを連結する連結部とからなる逆凹部が突出形成され、上記突き合せ用のリブをこれよりも広い面積としての上記逆凹部の連結部と突き合わせられるか、又は、上記一方のパネルの外周壁と他方のパネルの外周壁は、２つの脚部とこれらを連結する連結部とからなる逆凹部として突出形成され、これら逆凹部の連結部同士が突き合わせられることにより、スピーカーエンクロージャーとしての外周壁の構造を二重構造とした逆凹部として剛性を向上させることができるとともに、外周壁の突き合わせ精度を高くすることができる。
【００１１】
本考案の請求項３に係るスピーカー内蔵型エンクロージャーは、請求項１又は請求項２記載の考案を前提として、前記逆凹部の２つの各脚部の厚さと連結部の厚さは、前記前側パネルや後側パネルの肉厚と同じ肉厚で形成されていることを特徴とする。
【００１２】
この考案によれば、前記逆凹部の２つの各脚部の厚さと連結部の厚さは、前側パネルや後側パネルの肉厚と同じ肉厚で形成されていることから、前側パネルや後側パネルの厚みを一般的に必要とされる厚みで統一しつつ、スピーカーエンクロージャーとして必要な剛性と突き合わせ精度を確保することができる。
【００１３】
本考案の請求項４に係るスピーカー内蔵型エンクロージャーは、請求項１又は請求項２記載の考案を前提として、前記逆凹部の下方側の２つの脚部側の幅間隔よりも逆凹部の上方側の連結部の幅間隔の方が幅狭であることを特徴とする。
【００１４】
この考案によれば、前記逆凹部の下方側の２つの脚部側の幅間隔よりも逆凹部の上方側の連結部の幅間隔の方が幅狭であることから、離型が容易であり、いわば二重構造としての逆凹部としての逆凹部としての立設姿勢（逆凹部として突出した状態）の安定性が保たれる。
【００１５】
本考案の請求項５に係るスピーカー内蔵型エンクロージャーは、請求項１記載又は請求項２の考案を前提として、前記逆凹部と突き合わせ用のリブとの間、又は、前記逆凹部と逆凹部との間にクッションシートを介在させていることを特徴とする。
【００１６】
この考案によれば、スピーカー内蔵型エンクロージャーの外周壁を互いに突き合わせるに際して、逆凹部の連結部の上面や突き合わせ用のリブの先端表面が不均一な加工になっていると、スピーカーエンクロージャーとしての密閉性に欠けることとなるが、本考案によれば、クッションシートが介在されることにより、不均一な加工面であっても密閉性が担保されるとともに、クッションシートが介在させるに際しても、広い面積としての上記逆凹部の連結部に敷設させることが容易である。
【考案の効果】
【００１７】
本考案によれば、スピーカーエンクロージャーとしての外周壁が二重の脚部とこれらを連結する連結部を有する構造であるから、従来のようにヒケが生じるようなことがなくなり、しかも先端面に凹凸が生じるような均一性を害することがなくなり、その構造が頑丈で密閉性の高く、その結果、高音質のスピーカーエンクロージャーを有するスピーカー内蔵型エンクロージャーとすることが可能になる。また、スピーカーエンクロージャーの外周壁の一部あるいは全体を２重構造の逆凹部とすることで、前側パネルや後側パネルの全体の厚みを一般的に必要とされる厚みで統一しつつ、スピーカーエンクロージャーとして必要な剛性を確保することができ、前側パネルと後側パネルの充填成型時に、偏肉（一部分だけを厚く）したり、その全体をスピーカーエンクロージャーの剛性に合わせて厚くするといった必要がなくなる。また、上記逆凹部の端面を上記突き合わせ用のリブの端面の面積より広い面積となるように形成するために、仮に突き合わせ面に均一性を害する凹凸が生じたような場合にも、この面全域にクッションシートを配することで、逆凹部と突き合わせ用のリブとの突き合わせ精度を高くし、しかも密閉性を一層高くすることが可能となる。
【考案を実施するための最良の形態】
【００１８】
以下、本考案を実施するための最良の形態を図面にもとづいて説明する。
【００１９】
（第１の実施の形態）
本実施の形態は、液晶テレビに本考案を適用したものであり、図１から図３に示すように、合成樹脂製の筐体を構成する前側パネル２と後側パネル３との間にスピーカーユニットＳｎが密閉状態で配されるとともに、液晶テレビの表示パネルが配されているスピーカー内蔵型エンクロージャー１である。前側パネル２の内部には、スピーカーエンクロージャーの外周壁として逆凹部Ｅｃが形成され、後側パネル３の内部には、スピーカーエンクロージャーの外周壁として突き合わせ用のリブＲｖが形成されている。液晶テレビは、１９インチの表示パネルを備え、前側パネル２と後側パネル３の上方側において配され、前側パネル２の枠ｗに表示パネルの表面側を向けて取り付けられ、前側パネル２と後側パネル３の下方側の左右には、スピーカーユニットＳｎが内蔵されている。そして、前側パネル２の下方側全域には、音抜けの良いパンチメタル処理したカバーＣｖが覆っている。
【００２０】
前側パネル２は、主面壁２aと側壁２ｈとを有する縦型の長方形状を呈し、主面壁２aの表面側には、スピーカーｓｐの各コーンを外部に露出するための孔２ｃが形成され、スピーカーｓｐは孔２ｃに内側から嵌め込まれている。そして、主面壁２aの孔２ｃの周囲を縦型の長方形状に取り囲むように逆凹部Ｅｃが突出形成されている。この逆凹部Ｅｃは、２つの脚部a，ａとこれらを連結する連結部ｒとからなり、２つの脚部a，ａの間には溝部ｍが設けられている。なお、主面壁２aの表面側には、逆凹部Ｅｃによってできた溝ｍや上記孔２ｃをパンチングメタルからなるカバーＣｖで覆うこととし、これらを目立たなくしている（図１、図３）。また、上記連結部ｒの表面には、その面全域にクッションシートＳが配されている。このクッションシートＳは、上記連結部ｒの表面や突き合せ用のリブＲｖの先端面Ｒaの加工が不均一な場合にも、外周壁Ｅｃ，Ｒｖの突き合わせによる密閉状態を高くするために敷設されるものであり、本実施の形態では、突き合せ用のリブＲｖの先端面Ｒaよりも面積の広い上記連結部ｒの表面を利用してクッションシートＳが配されている。
【００２１】
上記逆凹部Ｅｃは、その立設姿勢の安定性が保たれるように、逆凹部Ｅｃの下方側の２つの脚部a，a側の幅間隔Ｈ１よりも逆凹部Ｅｃの上方側の連結部ｒの幅間隔Ｈ２の方が幅狭で形成されている（図３の左側参照）。つまり、上記溝ｍの幅は、上方に向かって徐々に狭くなるように形成されている。また、逆凹部Ｅｃの２つの各脚部a，aの厚さＨ３と連結部の厚さＨ４は、前側パネル２や後側パネル３の肉厚Ｈと同じ肉厚で形成されている（図３の右側参照）。したがって、前側パネル２や後側パネル３の厚みＨを一般的に必要とされる厚みで統一しつつ、スピーカーエンクロージャーとしての必要な剛性と突き合わせ精度を確保できるようになっている。すなわち、後側パネル３は、一般的な成型機により充填成型されて形成されるが、２つの各脚部a，ａの厚さと連結部ｒの厚さや、主面壁３a（半筒状部３ｄを含む）、側壁３ｈ、更には突き合わせ用のリブＲｖの厚みＨ５はすべて均一に成型され、従来のようにヒケが生じるようなことをなくしている（図３の左側参照）。
【００２２】
後側パネル３は、主面壁３aと側壁３ｈとを有する縦型の長方形状を呈し、主面壁３aに突き合わせ用のリブＲｖが突設されている（図３、図４）。すなわち、後側パネル３の主面壁３aの下方側の角部付近には、主面壁３aを凹状に窪ませるようにして断面円弧状の半筒状部３ｄが形成され、この半筒状部３ｄの先端側が突き合わせ用のリブＲｖとして形成されている。突き合わせ用のリブＲｖの先端面Ｒaは、逆凹部Ｅｃの連結部ｒの面積よりも小さなものであり、その先端面Ｒaが逆凹部Ｅｃの連結部ｒの上面側と突き合わせられる。上記半筒状部３ｄの上方壁側には、円形状の膨出部３ｅが形成され、下方側壁には、貫通孔３ｆが形成されている。
【００２３】
上記構成の合成樹脂製の前側パネル２と後側パネル３と対向装着させると、逆凹部Ｅｃと突き合わせ用のリブＲｖとの突き合わせにより、スピーカーエンクロージャーとしての外周壁Ｅｃ，Ｒｖが形成される。これと前側パネル２の主面壁２aと後側パネル３の主面壁３a（半円筒部３ｄ）により、スピーカーユニットＳｎを内蔵するスピーカーエンクロージャーが形成される（図３、図４）。なお、前側パネル２と後側パネル３の上方側ｗに表示パネルがはめ込まれる。
【００２４】
そして、逆凹部Ｅｃの連結部ｒを上記突き合わせ用のリブＲｖの先端面Ｒaの面積より広い面積となるように形成し、この連結部ｒ全域にクッションシートＳを配している。これにより、突き合わせ用のリブＲｖの先端面ＲaをクッションシートＳを介して上記逆凹部Ｅｃの連結部ｒに押し当てる際、例えば、突き合わせ用のリブＲｖと逆凹部Ｅｃの位置が若干ずれていた場合や、突き合わせ用のリブＲｖの先端面Ｒa又は逆凹部Ｅｃの連結部ｒの表面が不均一な場合であっても、逆凹部Ｅｃの連結部ｒ全域に配されたクッションシートＳに突き合わせ用のリブＲｖの先端面Ｒaが密着できるため、突き合わせ用のリブＲｖと逆凹部Ｅｃの成型精度が高くなくとも、突き合わせ用のリブＲｖと逆凹部Ｅｃの密閉性を高めることができ、その結果、スピーカーエンクロージャーとしての密閉性を向上させることもできる。
【００２５】
このように、本実施の形態では、２重構造である逆凹部Ｅｃの連結部ｒの面積を、突き合わせ用のリブＲｖの先端面Ｒaより広くして、この連結部ｒ全域にクッションシートＳを配する構造としている。連結部ｒの面積を拡大したとしても、前側パネル２の厚さ自体は一定であるため、一部分の厚さを変更する、あるいは全体の厚さを必要以上に厚くするといった必要はない。また、脚部a，ａを２重構造とする逆凹部Ｅｃとすることにより、奥行きの大きな合成樹脂製品であるために逆凹部Ｅｃの高さを高くする必要がある場合に、従来のリブの場合と異なり、先端にまで十分充填できないといった問題が生じることなく、その深さに対応した寸法の逆凹部Ｅｃを成型することが可能となる。
【００２６】
ここで、本実施の形態では、前側パネル２の主面壁２aに逆凹部Ｅｃを形成し、後側パネル３の主面壁５に突き合わせ用のリブＲｖを突設したが、図５に示すように、前側パネル２の主面壁２aに突き合わせ用のリブＲｖを突設し、後側パネル３の主面壁３aに逆凹部Ｅｃを形成したスピーカー内蔵型エンクロージャー１１としても良い。この場合は、前側パネル２側に上記溝ｍが形成されることはない。
【００２７】
（第２の実施の形態）
本実施の形態は、対向装着させる前側パネル２と後側パネル３によってスピーカーエンクロージャーの外周壁Ｅｃ，Ｒｖが一体的に形成されるスピーカー内蔵型エンクロージャー２１であり（図６）、表側パネル２のみならず後側パネル３にも逆凹部Ｅｃが形成されている。そして、逆凹部ＥｃをクッションシートＳを介して逆凹部Ｅｃに突き合わせ、これら逆凹部Ｅｃと逆凹部Ｅｃによりスピーカーエンクロージャーとしての外周壁Ｅｃ，Ｒｖを形成している。
【００２８】
本実施の形態に係るスピーカー内蔵型エンクロージャー２１によれば、スピーカーエンクロージャーの外周壁を２重構造の逆凹部Ｅｃと逆凹部Ｅｃに担わせることで、剛性が更に高められる。また、上記逆凹部Ｅｃの連結部ｒ同士の突き合せにより、前側パネル２や後側パネル３の充填成型時の成型精度が正確なものでないとしても、これら両方の逆凹部Ｅｃと逆凹部Ｅｃとにより密閉性を確保することができ、クッションシートＳの敷設状態も安定する。
【００２９】
以上、本実施の形態では、スピーカー１２の個数に合わせて、逆凹部Ｅｃと突き合わせ用のリブＲｖを形成しているが、スピーカーユニットＳｎの個数が変更されれば、逆凹部Ｅｃと突き合わせ用のリブＲｖの個数も変更される。本実施の形態は、液晶テレビ用のエンクロージャー１，１１，２１としてだけではなく、オーディオ機器や電子楽器（ピアノ等）やコンピュータのディスプレイ装置等の内部にスピーカーエンクロージャーを搭載しているものにも広く適用可能である。
【図面の簡単な説明】
【００３０】
【図１】本考案の第１の実施の形態のスピーカー内蔵型エンクロージャーの構造を示す斜視図である。
【図２】上記第１の実施の形態のスピーカー内蔵型エンクロージャーの内部を示す斜視図である。
【図３】上記実施の形態のスピーカー内蔵型エンクロージャーのスピーカーユニット周辺を示す断面図である。
【図４】上記実施の形態のスピーカー内蔵型エンクロージャーのスピーカーユニット周辺を示す断面図である。
【図５】上記実施の形態の他の例のスピーカー内蔵型エンクロージャーの構造を示す断面図である。
【図６】第２の実施の形態であるスピーカー内蔵型エンクロージャーの構造を示す断面図である。
【図７】従来のスピーカー内蔵型エンクロージャーの構造を示す断面図である。
【符号の説明】
【００３１】
１，１１，２１  スピーカー内蔵型エンクロージャー、
２    前側パネル、２a  前側パネルの主面壁、
３    後側パネル、３a  後側パネルの主面壁、
Ｅｃ，Ｒｖ    外周壁、Ｅｃ  逆凹部、
a    脚部、ａ，ａ  二重構造の逆凹部、ｒ  連結部、ｍ  溝、  
Ｒｖ  突き合わせ用のリブ、Ｒa  先端面、
Ｈ    前側パネルや後側パネルの肉厚、
Ｈ１  ２つの脚部側の幅間隔、Ｈ２  連結部の幅間隔、
Ｈ３  各脚部の厚さ、Ｈ４  連結部の厚さ、Ｈ５  突き合わせ用のリブの厚み、
Ｓ    クッションシート、
Ｓｎ  スピーカーユニット、ｓｐ  スピーカー
【図１】
0003117472.tif 000003
【図２】
0003117472.tif 000004
【図３】
0003117472.tif 000005
【図４】
0003117472.tif 000006
【図５】
0003117472.tif 000007
【図６】
0003117472.tif 000008
【図７】
0003117472.tif 000009